(57)【特許請求の範囲】
【請求項１】
光学機能部の外周にフランジ部を形成してなる光学レンズにおいて、
前記フランジ部の一部を前記フランジ部に連なるゲート部と共に切除することにより形成されたゲート切除部と、
前記フランジ部の一部を取り除くことにより形成され、前記光学機能部の光軸上に重心を位置させる重心位置調整部と、
を備えたこと特徴とする光学レンズ。
【請求項２】
光学機能部の外周にフランジ部を形成してなる光学レンズにおいて、
前記フランジ部に連なるゲート部を切断することにより形成された切断残部と、
前記フランジ部の一部を取り除くことにより形成され、前記光学機能部の光軸上に重心を位置させる重心位置調整部と、
を備えたことを特徴とする光学レンズ。
【請求項３】
光学機能部の外周にフランジ部を形成してなる光学レンズにおいて、
前記フランジ部に連なるゲート部を切断することにより形成された切断残部と、
前記フランジ部に突設され、前記光学機能部の光軸上に重心を位置させる重心位置調整部と、
を備えたこと特徴とする光学レンズ。
【請求項４】
光学機能部の外周にフランジ部を形成してなる光学レンズの製造方法において、
前記光学機能部の外周に前記フランジ部を形成し前記フランジ部にゲート部を突出してなるレンズ成形品を成形した後、
前記フランジ部の一部を前記ゲート部と共に切除すると共に、前記光学機能部の光軸上に重心を位置させるように前記フランジ部の一部を取り除くこと、
を特徴とする光学レンズの製造方法。
【請求項５】
光学機能部の外周にフランジ部を形成してなる光学レンズの製造方法において、
前記光学機能部の外周に前記フランジ部を形成し前記フランジ部にゲート部を突出すると共に前記フランジ部の外縁の一部を切り欠いた重心位置調整部を形成してなるレンズ成形品を成形した後、
前記光学機能部の光軸上に重心を位置させるように前記ゲート部と共に前記フランジ部の一部を取り除くこと、
を特徴とする光学レンズの製造方法。
【請求項６】
光学機能部の外周にフランジ部を形成してなる光学レンズの製造方法において、
前記光学機能部の外周に前記フランジ部を形成し前記フランジ部にゲート部を突出してなるレンズ成形品を成形した後、
前記ゲート部の一部を残して前記ゲート部を切断すると共に、前記光学機能部の光軸上に重心を位置させるように前記フランジ部の一部を取り除くこと、
を特徴とする光学レンズの製造方法。
【請求項７】
光学機能部の外周にフランジ部を形成してなる光学レンズの製造方法において、
前記光学機能部の外周に前記フランジ部を形成し前記フランジ部にゲート部を突出すると共に前記フランジ部の外縁の一部を切り欠いた重心位置調整部を形成してなるレンズ成形品を成形した後、
前記光学機能部の光軸上に重心を位置させるように前記ゲート部の一部を残して前記ゲート部を切断すること、
を特徴とする光学レンズの製造方法。
【請求項８】
光学機能部の外周にフランジ部を形成してなる光学レンズの製造方法において、
前記光学機能部の外周に前記フランジ部を形成し前記フランジ部にゲート部を突出すると共に前記ゲート部と対称位置に重心位置調整部を突出してなるレンズ成形品を成形した後、
前記ゲート部を前記光学機能部の光軸上に重心を位置させるように切断すること、
を特徴とする光学レンズの製造方法。
【発明の詳細な説明】
【０００１】
【発明の属する技術分野】
本発明は、光学機器などに用いられる光学レンズ及び光学レンズの製造方法に関するものである。
【０００２】
【従来の技術】
従来の光学レンズとしては、図１０に示すように、光学機能部Ｂの外周にフランジ部Ｃを形成してなる光学レンズＡが知られている。フランジ部Ｃは、光学レンズＡをホルダなどに取り付けるためのものである。この光学レンズＡが樹脂成形などにより製造される場合、フランジ部Ｃに樹脂注入口であるゲートが配置される。このため、成形された直後の光学レンズＡは、フランジ部Ｃにゲート部Ｄが連なった状態となる。そして、光学レンズＡを製品化するために、ゲート部Ｄの切除が行われる。この切除の方法として、図１０のように、ゲート部Ｄと共にフランジ部Ｃの一部を切り落とす方法が採られている。
【０００３】
【発明が解決しようとする課題】
しかしながら、前述した光学レンズＡにあっては、次のような問題点がある。ゲート部Ｄを取り除くと共にフランジ部Ｃの一部を切り落とすため、光学レンズＡの重心がその光軸Ｘ上に位置しなくなり、光学レンズＡの取扱いが困難となる。例えば、光学レンズＡを光ピックアップの対物レンズとして用いる場合、光学レンズＡは、図１１に示すようにレンズアクチュエータの可動部Ｅに装着される。可動部Ｅは、高速駆動の実現のため軽量に作られており、アクチュエータ本体Ｆに対し姿勢調整を許容すべく軽微な力で支持されている。このため、光学レンズＡの重心位置がレンズ中心にある光軸Ｘからずれていると、光学レンズＡを可動部Ｅに組み付ける際の水平バランスがとりにくく、アクチュエータ駆動時における可動部Ｅの動作バランスがとりにくいものとなる。
【０００４】
そこで本発明は、以上のような問題点を解決するためのなされたものであって、ゲート部を処理しつつレンズ重心をほぼ光軸上に位置させて、その取扱い性の向上が図れる光学レンズ及び光学レンズの製造方法を提供することを目的とする。
【０００５】
【課題を解決するための手段】
このような目的を達成するために、本発明に係る光学レンズは、光学機能部の外周にフランジ部を形成してなる光学レンズにおいて、フランジ部の一部をフランジ部に連なるゲート部と共に切除することにより形成されたゲート切除部と、フランジ部の一部を取り除くことにより形成され光学機能部の光軸上に重心を位置させる重心位置調整部とを備えたこと特徴とする。
【０００６】
この発明によれば、重心位置調整部を設けることにより、ゲート切除部を有していても重心をその光軸上に位置させることが可能となる。このため、ホルダなどに組み付ける際の水平バランスが取りやすく、また、光ピックアップの対物レンズとして用いたときの対物レンズ用アクチュエータの動作バランスが取りやすくなり、取扱いが容易なものとなる。
【０００７】
また本発明に係る光学レンズは、光学機能部の外周にフランジ部を形成してなる光学レンズにおいて、フランジ部に連なるゲート部を切断することにより形成された切断残部と、フランジ部の一部を取り除くことにより形成され光学機能部の光軸上に重心を位置させる重心位置調整部とを備えたことを特徴とする。
【０００８】
この発明によれば、重心位置調整部を設けることにより、切断残部を有していても重心をその光軸上に位置させることが可能となる。このため、ホルダなどに組み付ける際の水平バランスが取りやすく、また、光ピックアップの対物レンズとして用いたときの対物レンズ用アクチュエータの動作バランスが取りやすくなり、取扱いが容易なものとなる。
【０００９】
また本発明に係る光学レンズは、光学機能部の外周にフランジ部を形成してなる光学レンズにおいて、フランジ部に連なるゲート部を切断することにより形成された切断残部と、フランジ部に突設され光学機能部の光軸上に重心を位置させる重心位置調整部とを備えたこと特徴とする。
【００１０】
この発明によれば、重心位置調整部を設けることにより、切断残部を有していても重心をその光軸上に位置させることが可能となる。このため、ホルダなどに組み付ける際の水平バランスが取りやすく、また、光ピックアップの対物レンズとして用いたときの対物レンズ用アクチュエータの動作バランスが取りやすくなり、取扱いが容易なものとなる。
【００１１】
また本発明に係る光学レンズの製造方法は、光学機能部の外周にフランジ部を形成してなる光学レンズの製造方法において、光学機能部の外周にフランジ部を形成しフランジ部にゲート部を突出してなるレンズ成形品を成形した後、フランジ部の一部をゲート部と共に切除すると共に、光学機能部の光軸上に重心を位置させるようにフランジ部の一部を取り除くことを特徴とする。また本発明に係る光学レンズの製造方法は、光学機能部の外周にフランジ部を形成してなる光学レンズの製造方法において、光学機能部の外周にフランジ部を形成しフランジ部にゲート部を突出すると共にフランジ部の外縁の一部を切り欠いた重心位置調整部を形成してなるレンズ成形品を成形した後、光学機能部の光軸上に重心を位置させるようにゲート部と共にフランジ部の一部を取り除くことを特徴とする。
【００１２】
これらの発明によれば、ゲート部を取り除くためにフランジ部の一部を切除しても、その重心をその光軸上に位置させることが可能となる。このため、ホルダなどに組み付ける際の水平バランスが取りやすく、また、光ピックアップの対物レンズとして用いたときの対物レンズ用アクチュエータの動作バランスが取りやすくなり、取扱いが容易なものとなる。
【００１３】
また本発明に係る光学レンズの製造方法は、光学機能部の外周にフランジ部を形成してなる光学レンズの製造方法において、光学機能部の外周にフランジ部を形成しフランジ部にゲート部を突出してなるレンズ成形品を成形した後、ゲート部の一部を残してゲート部を切断すると共に、光学機能部の光軸上に重心を位置させるようにフランジ部の一部を取り除くことを特徴とする。
【００１４】
また本発明に係る光学レンズの製造方法は、光学機能部の外周にフランジ部を形成してなる光学レンズの製造方法において、光学機能部の外周にフランジ部を形成しフランジ部にゲート部を突出すると共にフランジ部の外縁の一部を切り欠いた重心位置調整部を形成してなるレンズ成形品を成形した後、光学機能部の光軸上に重心を位置させるようにゲート部の一部を残してゲート部を切断することを特徴とする。
【００１５】
これらの発明によれば、ゲート部の切断残部がフランジ部にあっても、重心を光軸上に位置させることが可能となる。このため、ホルダなどに組み付ける際の水平バランスが取りやすく、また、光ピックアップの対物レンズとして用いたときの対物レンズ用アクチュエータの動作バランスが取りやすくなり、取扱いが容易なものとなる。
【００１６】
更に本発明に係る光学レンズの製造方法は、光学機能部の外周にフランジ部を形成してなる光学レンズの製造方法において、光学機能部の外周にフランジ部を形成しフランジ部にゲート部を突出すると共にゲート部と対称位置に重心位置調整部を突出してなるレンズ成形品を成形した後、ゲート部を光学機能部の光軸上に重心を位置させるように切断することを特徴とする。
【００１７】
この発明によれば、重心位置調整部を設けてゲート部の切断残部とバランスさせることにより、その重心をその光軸上に位置させることが可能となる。このため、ホルダなどに組み付ける際の水平バランスが取りやすく、また、光ピックアップの対物レンズとして用いたときの対物レンズ用アクチュエータの動作バランスが取りやすくなり、取扱いが容易なものとなる。
【００１８】
【発明の実施の形態】
以下、添付図面に基づき、本発明の種々の実施形態について説明する。尚、各図において同一要素には同一符号を付して説明を省略する。また、図面の寸法比率は説明のものと必ずしも一致していない。
【００１９】
（第一実施形態）
図１は本実施形態に係る光学レンズの説明図である。図１において、光学レンズ１は、光学機能部２の外周にフランジ部３を形成して構成されている。光学機能部２は、光学的なレンズとして機能する部分であり、例えば、円盤状を呈している。フランジ部３は、主に光学レンズ１をホルダなどに取り付けるために設けられるものであり、光学機能部２と樹脂などにより一体成形されている。なお、光学レンズ１の構成材料としては樹脂に限られず、ガラスなどを用いる場合もある。また、図１の光学レンズ１においてはフランジ部３が環状を呈しているが、このフランジ部３は光学機能部２の外周に形成されていれば、そのような形状に限られるものではなく、例えば、光学機能部２の外周の一部分に形成されていてもよい。
【００２０】
図１に示すように、フランジ部３の外周部分には、ゲート切除部４が形成されている。ゲート切除部４は、成形時のゲート部分と共にフランジ部３の外周部の一部を取り除くことにより形成された断面である。ゲート切除部４は、図１のように、フランジ部３を光軸Ｘに対し斜めに取り除くことにより形成するのが望ましい。この場合、フランジ部３の上端面又は下端面の外形を残したまま、ゲート部を光学レンズ１から分離することができる。従って、レンズ組み付け時、残った外形を利用して通常通り組み付けることができる。
【００２１】
また、図１に示すように、フランジ部３の外周部分には、重心位置調整部５が形成されている。重心位置調整部５は、フランジ部３の外周部の一部を取り除くことにより形成された断面であり、例えば、光軸Ｘを中心としてゲート切除部４と対称位置に形成されている。また、重心位置調整部５は、ゲート切除部４の形成により光軸Ｘ上から外れたレンズ重心をその光軸Ｘ上に戻すように形成されている。このため、光学レンズ１のように、重心位置調整部５がゲート切除部４の対称位置に形成される場合、その重心位置調整部５の形成により取り除かれた部分は、ゲート切除部４の形成により取り除かれた部分が同一重量とされる。
【００２２】
次に、光学レンズ１の製造方法について説明する。
【００２３】
図２に光学レンズ１の製造方法の説明図を示す。光学レンズ１の製造は、まず、図２（ａ）に示すようにフランジ部３にゲート切除部４及び重心位置調整部５の無いレンズ成形品１０を成形により形成する。例えば、レンズ成形品１０の外形に合わせたキャビティを有する金型を用意し、そのキャビティ内にゲートを通じて溶融した樹脂を流し込み、樹脂の固化によりレンズ成形品１０の成形が行われる。成形後、レンズ成形品１０には、フランジ部３の外周に金型のゲート内で固化したゲート部１１が連なった状態となっている。
【００２４】
そして、図２（ｂ）に示すように、ゲート部１１をフランジ部３から切り離して、レンズ成形品１０から取り除く。ゲート部１１の切り離し作業はフランジ部３の一部を切除することにより行い、例えば、エンドミルを用いた切削などにより行えばよい。ゲート部１１の切り離しにより、レンズ成形品１０のフランジ部３にはゲート切除部４が形成されることになる。
【００２５】
そして、図２（ｃ）に示すように、光学機能部２の光軸Ｘ上に重心を位置させるようにフランジ部３の一部を取り除く。例えば、光軸Ｘを中心としたゲート切除部４の対称位置において、フランジ部３の一部を切削などにより切除する。このとき、その切除量がゲート切除部４形成時のものと同様となるようにする。そして、そのフランジ部３の一部を切除することにより、重心位置調整部５が形成されることになる。この重心位置調整部５の形成により、光学レンズ１の製造が完了する。なお、このような光学レンズ１の製造方法において、ゲート切除部４と重心位置調整部５の形成を同時に行ってもよい。
【００２６】
図３に光学レンズ１の他の製造方法の説明図を示す。図３（ａ）に示すようにフランジ部３に予め重心位置調整部５が形成されたレンズ成形品１２を成形により形成する。例えば、レンズ成形品１２の外形に合わせたキャビティを有する金型を用意し、そのキャビティ内にゲートを通じて溶融した樹脂を流し込み、樹脂の固化によりレンズ成形品１２の成形が行われる。このとき、レンズ成形品１２のフランジ部３外周には、金型のゲート内で固化したゲート部１１が連なった状態となっており、そのゲート部１１の対称位置には重心位置調整部５が形成されている。
【００２７】
そして、図３（ｂ）に示すように、ゲート部１１をフランジ部３から切り離して、レンズ成形品１２から取り除く。ゲート部１１の切り離し作業はフランジ部３の一部を切除することにより行い、例えば、エンドミルを用いた切削などにより行えばよい。このとき、ゲート部１１の切り離しによりレンズ成形品１０のフランジ部３にはゲート切除部４が形成されることになるが、このゲート切除部４の形成に伴い、レンズ重心が光軸Ｘ上に位置するように行うことが肝要である。このゲート部１１及びフランジ部３の一部の切除により、光学レンズ１の製造が完了する。この光学レンズ１の製造方法によれば、重心位置調整部５の形成が成形と同時に行えるため、成形工程と別途に行う必要がない。このため、製造効率の向上が図れる。
【００２８】
以上のように、本実施形態に係る光学レンズ１によれば、重心位置調整部５を設けることにより、ゲート切除部４を有していても重心をその光軸Ｘ上に位置させることができる。このため、ホルダなどに組み付ける際の水平バランスが取りやすく、また、光ピックアップの対物レンズとして用いたときの対物レンズ用アクチュエータの動作バランスが取りやすくなり、取扱いが容易なものとなる。
【００２９】
また、本実施形態に係る光学レンズ１の製造方法によれば、ゲート部１１を取り除くためにフランジ部３の一部を切除しても、その重心をその光軸Ｘ上に位置させることが可能となる。このため、ホルダなどに組み付ける際の水平バランスが取りやすく、また、光ピックアップの対物レンズとして用いたときの対物レンズ用アクチュエータの動作バランスが取りやすくなり、取扱いが容易なものとなる。
【００３０】
（第二実施形態）
次に第二実施形態に係る光学レンズ及び光学レンズの製造方法について説明する。
【００３１】
図４に本実施形態に係る光学レンズ１ａを示す。図４において、光学レンズ１ａは、第一実施形態の光学レンズ１と同様に光学機能部２の外周にフランジ部３を形成して構成されている。また、フランジ部３の外周部分には、ゲート切除部４が形成されている。ゲート切除部４は、成形時のゲート部分と共にフランジ部３の外周部の一部を取り除くことにより形成された断面である。
【００３２】
また、図４に示すように、フランジ部３の外周部分には、重心位置調整部５ａ、５ａが形成されている。重心位置調整部５ａは、フランジ部３の外周部の一部を取り除くことにより形成された断面であり、フランジ部３に複数形成されている。また、重心位置調整部５ａは、ゲート切除部４の形成により光軸Ｘ上から外れるレンズ重心をその光軸Ｘ上に位置させるためのものである。なお、図４では、重心位置調整部５ａは、フランジ部３に二つ形成されているが、レンズ重心を光軸Ｘ上に位置させられれば三つ以上形成されていてもよい。
【００３３】
この光学レンズ１ａの製造は、前述の光学レンズ１と同様の手法により行うことができる。
【００３４】
以上のように、本実施形態に係る光学レンズ１ａ及び光学レンズ１ａの製造方法によれば、第一実施形態に係る光学レンズ１と同様に、重心位置調整部５ａを設けることにより、ゲート切除部４を有していても重心をその光軸Ｘ上に位置させることができる。このため、ホルダなどに組み付ける際の水平バランスが取りやすく、また、光ピックアップの対物レンズとして用いたときの対物レンズ用アクチュエータの動作バランスが取りやすくなり、取扱いが容易なものとなる。
【００３５】
（第三実施形態）
次に第三実施形態に係る光学レンズ及び光学レンズの製造方法について説明する。
【００３６】
図５に本実施形態に係る光学レンズ１ｂを示す。図５において、光学レンズ１ｂは、前述の光学レンズ１及び光学レンズ１ａと同様に光学機能部２の外周にフランジ部３を形成して構成されている。また、フランジ部３の外周部分には、切断残部１３が形成されている。切断残部１３は、成形時に形成されるゲート部１１を切断する際に残存したものであり、フランジ部３の外周から突出している。
【００３７】
また、図５に示すように、フランジ部３の外周部分には、重心位置調整部５ｂ、５ｂが形成されている。重心位置調整部５ｂは、フランジ部３の外周部の一部を取り除くことにより形成された断面であり、フランジ部３に複数形成されている。また、重心位置調整部５ｂは、切断残部１３の形成により光軸Ｘ上から外れるレンズ重心をその光軸Ｘ上に位置させるためのものである。なお、図５では、重心位置調整部５ａは、フランジ部３に二つ形成されているが、レンズ重心を光軸Ｘ上に位置させられれば三つ以上形成されていてもよい。
【００３８】
次に、光学レンズ１ｂの製造方法について説明する。
【００３９】
図６に光学レンズ１ｂの製造方法の説明図を示す。光学レンズ１ｂの製造は、まず、図６（ａ）に示すようにフランジ部３に切断残部４及び重心位置調整部５ｂの無いレンズ成形品１０を成形により形成する。例えば、レンズ成形品１０の外形に合わせたキャビティを有する金型を用意し、そのキャビティ内にゲートを通じて溶融した樹脂を流し込み、樹脂の固化によりレンズ成形品１０の成形が行われる。このとき、レンズ成形品１０には、フランジ部３の外周に金型のゲート内で固化したゲート部１１が連なった状態となっている。
【００４０】
そして、図６（ｂ）に示すように、ゲート部１１の途中を切断する。このゲート部１１の切断作業は、例えば、エンドミルを用いた切削などにより行えばよい。ゲート部１１の切断により、レンズ成形品１０のフランジ部３には切断残部１３が突出することになる。
【００４１】
そして、図６（ｃ）に示すように、光学機能部２の光軸Ｘ上に重心を位置させるようにフランジ部３の一部を取り除く。光学機能部２の光軸Ｘ上に重心を位置させるために、フランジ部３を取り除く位置を光軸Ｘに対し切断残部１３側（図６（ｃ）では左側）とする。また、フランジ部３を取り除く位置は、取り除いた後にレンズ重心が光学機能部２の光軸Ｘ上にくるように、取り除く量を勘案して決定される。そして、フランジ部３の一部を切除することにより、重心位置調整部５ｂ、５ｂが形成されることになる。この重心位置調整部５の形成により、光学レンズ１ｂの製造が完了する。
【００４２】
図７に光学レンズ１ｂの他の製造方法の説明図を示す。図７（ａ）に示すようにフランジ部３に予め重心位置調整部５ｂ、５ｂが形成されたレンズ成形品１４を成形により形成する。例えば、レンズ成形品１４の外形に合わせたキャビティを有する金型を用意し、そのキャビティ内にゲートを通じて溶融した樹脂を流し込み、樹脂の固化によりレンズ成形品１４の成形が行われる。成形後、レンズ成形品１４のフランジ部３外周には、金型のゲート内で固化したゲート部１１が連なった状態となっている。
【００４３】
そして、図７（ｂ）に示すように、ゲート部１１の切断を行う。ゲート部１１の切断作業は、例えば、エンドミルを用いた切削などにより行えばよい。このとき、ゲート部１１の切断によりレンズ成形品１４のフランジ部３には切断残部１３が形成されることになるが、この切断残部１３の形成に伴い、レンズ重心が光軸Ｘ上に位置するようにすることが肝要である。すなわち、フランジ部３を凹ませてなる重心位置調整部５ｂ、５ｂの凹み量を勘案してゲート部１１の切断位置を決定し、ゲート部１１の切断を行えばよい。このゲート部１１の切断により、光学レンズ１ｂの製造が完了する。この光学レンズ１ｂの製造方法によれば、重心位置調整部５ｂの形成が成形と同時に行えるため、成形工程と別途に行う必要がない。このため、製造効率の向上が図れる。
【００４４】
以上のように、本実施形態に係る光学レンズ１ｂ及び光学レンズ１ｂの製造方法によれば、重心位置調整部５ｂを設けることにより、ゲート部１１の切断残部１３を有していてもレンズ重心を光軸Ｘ上に位置させることができる。このため、ホルダなどに組み付ける際の水平バランスが取りやすく、また、光ピックアップの対物レンズとして用いたときの対物レンズ用アクチュエータの動作バランスが取りやすくなり、取扱いが容易なものとなる。
【００４５】
（第四実施形態）
次に第四実施形態に係る光学レンズ及び光学レンズの製造方法について説明する。
【００４６】
図８に本実施形態に係る光学レンズ１ｃを示す。図８において、光学レンズ１ｃは、前述の光学レンズ１などと同様に、光学機能部２の外周にフランジ部３を形成して構成されている。また、フランジ部３の外周部分には、切断残部１３が形成されている。切断残部１３は、成形時に形成されるゲート部１１を切断する際に残存したものであり、フランジ部３の外周から突出している。
【００４７】
また、図８に示すように、フランジ部３の外周部分には、重心位置調整部５ｃが形成されている。重心位置調整部５ｃは、フランジ部３の外周から突出する突起体であり、切断残部１３の形成により光軸Ｘ上から外れるレンズ重心をその光軸Ｘ上に位置させるためのものである。なお、重心位置調整部５ｃは、図８ではフランジ部３に一つ形成されているが、レンズ重心を光軸Ｘ上に位置させられれば二つ以上形成されていてもよい。
【００４８】
次に、光学レンズ１ｃの製造方法について説明する。
【００４９】
図９に光学レンズ１ｃの製造方法の説明図を示す。図９（ａ）に示すように、フランジ部３に予め重心位置調整部５ｃが形成されたレンズ成形品１５を成形により形成する。例えば、レンズ成形品１５の外形に合わせたキャビティを有する金型を用意し、そのキャビティ内にゲートを通じて溶融した樹脂を流し込み、樹脂の固化によりレンズ成形品１５の成形が行われる。成形後、レンズ成形品１５のフランジ部３の外周には、金型のゲート内で固化したゲート部１１が連なった状態となっている。
【００５０】
そして、図９（ｂ）に示すように、ゲート部１１の切断を行う。ゲート部１１の切断作業は、例えば、エンドミルを用いた切削などにより行えばよい。このとき、ゲート部１１の切断によりレンズ成形品１５のフランジ部３には切断残部１３が形成されることになるが、この切断残部１３の形成に伴い、レンズ重心が光軸Ｘ上に位置するようにすることが肝要である。すなわち、重心位置調整部５ｃの突出量を勘案してゲート部１１の切断位置を決定し、ゲート部１１の切断を行えばよい。このゲート部１１の切断により、光学レンズ１ｃの製造が完了する。この光学レンズ１ｃの製造方法によれば、重心位置調整部５ｃの形成が成形と同時に行えるため、成形工程と別途に行う必要がない。このため、製造効率の向上が図れる。
【００５１】
以上のように、本実施形態に係る光学レンズ１ｃ及び光学レンズ１ｃの製造方法によれば、重心位置調整部５ｃを設けることにより、ゲート部１１の切断残部１３を有していてもレンズ重心を光軸Ｘ上に位置させることができる。このため、ホルダなどに組み付ける際の水平バランスが取りやすく、また、光ピックアップの対物レンズとして用いたときの対物レンズ用アクチュエータの動作バランスが取りやすくなり、取扱いが容易なものとなる。
【００５２】
【発明の効果】
以上説明したように本発明によれば、次のような効果を得ることができる。
【００５３】
すなわち、フランジ部に重心位置調整部を備えることにより、フランジ部にゲート切除部が形成されていても、レンズ重心を光軸上に位置させることができる。このため、ホルダなどに組み付ける際の水平バランスが取りやすく、また、光ピックアップの対物レンズとして用いたときの対物レンズ用アクチュエータの動作バランスが取りやすくなり、取扱いが容易なものとなる。
【００５４】
また、フランジ部に重心位置調整部を備えることにより、フランジ部にゲートの切断残部が形成されていても、レンズ重心を光軸上に位置させることができる。このため、ホルダなどに組み付ける際の水平バランスが取りやすく、また、光ピックアップの対物レンズとして用いたときの対物レンズ用アクチュエータの動作バランスが取りやすくなり、取扱いが容易なものとなる。
【図面の簡単な説明】
【図１】光学レンズの斜視図である。
【図２】光学レンズの製造工程の説明図である。
【図３】光学レンズの製造工程の説明図である。
【図４】第二実施形態に係る光学レンズの説明図である。
【図５】第三実施形態に係る光学レンズの説明図である。
【図６】第三実施形態に係る光学レンズの説明図である。
【図７】第三実施形態に係る光学レンズの説明図である。
【図８】第四実施形態に係る光学レンズの説明図である。
【図９】第四実施形態に係る光学レンズの説明図である。
【図１０】従来技術の説明図である。
【図１１】従来技術の説明図である。
【符号の説明】
１…光学レンズ、２…光学機能部、３…フランジ部、４…ゲート切除部、５…重心位置調整部、１１…ゲート部、Ｘ…光軸
【図１】
0004001985.tif 000002
【図２】
0004001985.tif 000003
【図３】
0004001985.tif 000004
【図４】
0004001985.tif 000005
【図５】
0004001985.tif 000006
【図６】
0004001985.tif 000007
【図７】
0004001985.tif 000008
【図８】
0004001985.tif 000009
【図９】
0004001985.tif 000010
【図１０】
0004001985.tif 000011
【図１１】
0004001985.tif 000012